(57)【要約】  本発明は、家具（特にキッチン用の）であって、２つの対向する側壁（２）を有する本体（１、１’）を備え、側壁にはそれぞれ少なくとも１つのガイド形材（３）が組み込まれ、ガイド形材が本体の内側領域へ向けて開口する溝（４）を有する家具に関する。収納要素（６、６’）を家具本体（１、１’）内で移動可能に支持する滑子（５）が各溝（４）内で案内される。【選択図】  図１
2012526574.tif 000002
【特許請求の範囲】
【請求項１】
家具、特にキッチン用の家具であって、
２つの対向する側壁（２）を有する本体（１、１’）を備え、
前記側壁には少なくとも１つのガイド形材（３）が組み込まれ、前記ガイド形材が前記本体（１）の内側の方を向く溝（４）を有し、前記溝（４）内で滑子（５）が案内され、前記滑子（５）が収納要素（６、６’）を前記本体（１、１’）に対して移動可能に支持する、家具。
【請求項２】
水平および垂直の形材（１０、１３、１４、１５）が、前記側壁（２）の各々で互いに接続されることを特徴とする、請求項１に記載の家具。
【請求項３】
内側および外側のカバー層（１７、１８）が、前記側壁（２）に各々に設けられることを特徴とする、請求項１または２に記載の家具。
【請求項４】
前記カバー層（１７、１８）が、発泡体によって形成されることを特徴とする、請求項３に記載の家具。
【請求項５】
前記ガイド形材（３）が垂直に配置され、前記収納要素（６、６’）が垂直に移動できることを特徴とする、請求項１〜４のいずれか一項に記載の家具。
【請求項６】
前記収納要素（６、６’）の移動のために昇降機構（７、８、９）が設けられることを特徴とする、請求項１〜５のいずれか一項に記載の家具。
【請求項７】
前記収納要素（６、６’）の移動のために牽引ケーブル（７）が、前記ガイド形材（４）に設けられることを特徴とする、請求項１〜６のいずれか一項に記載の家具。
【請求項８】
前記収納要素（６、６’）の移動を制御するためにモータドライブが設けられることを特徴とする、請求項１〜７のいずれか一項に記載の家具。
【請求項９】
複数の平行なガイド形材（３）が、前記側壁（２）に各々に設けられることを特徴とする、請求項１〜８のいずれか一項に記載の家具。
【請求項１０】
前記本体（１、１’）の内側を少なくとも１つの閉鎖要素により閉じることができることを特徴とする、請求項１〜９のいずれか一項に記載の家具。
【発明の詳細な説明】
【技術分野】
【０００１】
本発明は、家具、特にキッチン用の家具に関する。
【背景技術】
【０００２】
物品を収納するための１つ以上の棚を本体に組み込んで成る家具が存在する。かかる家具は、床に立設する家具として、あるいは、壁キャビネットとして設計される場合がある。壁キャビネットの場合には、一番上の棚に接近することが難しい。この種の家具では、接近が困難な領域がしばしば非効率的に使用される。
【発明の概要】
【発明が解決しようとする課題】
【０００３】
したがって、本発明の目的は、接近が困難な領域であっても容易に利用することができ、フレキシブルに用いることができる家具を創出することである。
【課題を解決するための手段】
【０００４】
この目的は、請求項１の特徴を伴う家具によって達成される。
【０００５】
本発明によれば、家具は、２つの対向する側壁を有する本体を備え、各側壁には少なくとも１つのガイド形材が組み込まれ、ガイド形材が本体の内側へ向けて開口する溝を有し、各ガイド形材内で滑子が案内され、滑子は、本体の内側で移動できる収納要素を支持する。これにより、収納品を含む収納要素を本体内で動き回らせることができ、例えば、接近が困難な領域から接近が容易な領域へ収納要素を移動させることができる。収納要素は、例えば、電子レンジなどの家電製品を支持することができる。これにより、必要に応じて、家電製品を特定のユーザに適した高さへ移動させることができる。したがって、現在使用していない家電製品を、多くの場合に効率的に利用されないキッチン内の場所にある収納位置へ移動させることができる。収納要素は、水平に、垂直に、あるいは、任意の他の方向に移動されてもよい。ガイド形材を側壁に組み込むことにより、家具の視覚的印象が保たれ、その機能性が殆ど外側に見えない。同時に、収納室全体は、制約または減少を伴うことなく利用可能なままである。
【０００６】
水平および垂直形材が各側壁で互いに取り付けられることが好ましい。これにより、安定したフレームワークが各側壁に形成され、ガイド形材が強固に固定される。一様な外観を与えるため、各側壁には、ガイド形材の溝の近傍のみで中断される内側および外側カバー層を取り付けることができる。
【０００７】
無論、フレームワーク内の中空空間を発泡体で満たすこともできる。この場合、カバー層および前縁を発泡体によって形成することもできる。発泡体は本体の内側を断熱することもでき、収納物品を不適切な温度から保護することができる。また、熱交換装置をフレームワークの中空空間に組み込んで、本体内の温度を上げあるいは下げることもできる。
【０００８】
一実施形態によれば、ガイド形材が垂直に配置され、収納要素が垂直に移動できる。そのような構造はキッチンの壁キャビネットに特に適しており、それにより、壁キャビネットの上側領域も物品の収納のために利用できる。また、収納要素を、垂直に、水平に、および、対角線上に移動させて、収納領域を効率的に利用することもできる。
【０００９】
収納要素の滑らかな移動を確保するため、収納要素の移動のための昇降機構を設けることができる。昇降機構は、ガイド形材に沿って複数の収納要素を同時に移動させることができる可能性も与える。各ガイド形材ごとに牽引ケーブルを設けて、該ケーブルによって収納要素を移動させることができるのが好ましい。収納要素を自動的に移動させるため、収納要素を制御するための駆動モータを設けることができる。
【００１０】
更なる実施形態によれば、各側壁には、複数の平行なガイド形材が取り付けられる。収納要素を垂直に移動させる際、下方に移動できるカウンタウェイトおよび／またはスプリング要素が、小さな力だけで収納要素を移動できるようにする。
【００１１】
視覚的に良好なデザインを与えるため、フラップドア、回転ドア、または、シャッタなどの少なくとも１つの閉鎖要素によって本体の内側を閉じることができる。無論、このために必要な取付具も側壁に組み込むことができ、したがって、取付具が本体の内側の使用可能な収納室を減少させない。必要に応じて取付具をフレームワークの異なる位置に装着できる。
【００１２】
ここで、添付図面により本発明を更に詳しく説明する。
【図面の簡単な説明】
【００１３】
【図１】本発明に係る家具の斜視図を示している。
【図２】本発明に係る変形された家具の斜視図を示している。
【図３】図１の家具の昇降機構の斜視図を示している。
【図４】カバーを伴わない図１の家具の側壁の側面図を示している。
【図５】図４の側壁の分解斜視図を示している。
【図６】異なる構造の収納要素を有する図１の家具の斜視図を示している。
【発明を実施するための形態】
【００１４】
家具は、両側にそれぞれ側壁２を含む本体１（特にキッチン用の）を備える。それぞれの側壁２には、垂直に延び且つ内側の方を向く開口溝４を形成するガイド形材（ｇｕｉｄｅ  ｐｒｏｆｉｌｅ）３が組み込まれる。それぞれのガイド形材３には、滑子５がローラまたはスライド要素により移動可能に支持される。２つの滑子５は、垂直に移動できるシート状の収納要素６を支持する。
【００１５】
収納要素６を移動させるために、ガイド形材３の内側で案内される牽引ケーブル７が両側に設けられる。この場合、牽引ケーブル７は、１つ以上のガイドプーリ８に掛け回されて巻取り機構９へ至る。巻取り機構９は、収納要素６を移動させるために牽引ケーブル７を巻き上げあるいは繰り出すことができる。巻取り機構９が駆動モータによって制御されてもよい。収納要素の移動のための異なる駆動構造、例えばチェーンドライブなども可能である。
【００１６】
図２は、収納要素６の移動のための昇降機構の変形実施形態を描いており、この昇降機構も先と同様に側壁２の内側のガイド形材３で案内される。この場合、牽引ケーブル７が複数のガイドプーリ８にわたって案内され、また、巻取り機構が本体１’の内側に隠された態様で配置される。この場合も、巻取り機構９がモータによって駆動され、それにより、収納要素６を自動的に移動できるようにしてもよい。
【００１７】
図３は、家具の昇降機構を詳しく描いている。両方の垂直ガイドレール３は、内側へ開口してテーパ状のカラー断面をもつ溝４を有する。滑子５が溝４の内側のローラによって案内され、また、滑子をガイド形材３に沿って直線的にのみ移動させることができる。滑子５の移動のために牽引ケーブル７が設けられる。
【００１８】
図４および図５は本体１の側壁２を描いている。それぞれの側壁２は複数の水平形材１０を含み、各水平形材はその端部が垂直ガイド形材３に接続される。ガイド形材３は、側壁２の前縁から距離を隔てた中央領域に配置される。したがって、形材１０から離れた方を向く側には水平形材セクション１１も装着され、該水平形材セクションには例えばヒンジなどの取付具が取り付けられる。また、ガイド形材３に嵌め付けられて側壁２の連続する下縁を形成するボトム形材１３が設けられる。同様に、側壁２の全幅にわたって延びる上側仕上げ形材１５も上端に設けられる。垂直仕上げ形材１４が側壁２の前縁に配置され、この垂直仕上げ形材は水平形材セクション１１とボトム形材１３との間を接続する。したがって、高度の剛性を有するフレームワーク状の構造がそれぞれの側壁２にもたらされる。形材１０、１１、１３、１４、１５は、形状ロック接続または摩擦および／または材料結合接続をなすことができる。また、フレームワークの中空領域に発泡体を満たすこともでき、これは、同時に、発泡体と共にカバー層および前縁を形成する。また、発泡体は本体の内側を断熱することができる。あるいは、中空領域は、軽量建築法から知られる他の材料で満たされてもよい。
【００１９】
上側仕上げ形材１５の下側にはハウジング１６が装着され、該ハウジングは、スイベルアーム１７をそれ自体のハウジングで支持する。スイベルアーム１７のハウジングは、ハウジング１６に係止することにより取り外し可能に取り付けられ得る。スイベルアーム１７には、本体１、１’を閉じる回動フラップドアが取り付けられてもよい。これにより、外見上閉じられた外観が本体１、１’に与えられ得る。
【００２０】
個々の形材１０、１１、１３、１４、１５が外側から見えないように、それぞれの側壁２には平坦な表面を形成するカバー層１８および１９が設けられる。カバー層１８および１９は、ガイド形材３の溝４だけに接近でき且つ側壁２の残りの領域が覆われるように配置される。また、カバー帯状体２０が側壁２の前縁に配置されてもよい。あるいは、カバー層１８、１９およびカバー帯状体２０が発泡体により形成されてもよい。
【００２１】
図６は、図１に係る本体を描いているが、その下側の段に収納品２１が取り込まれるキャビネット形状の収納要素６を伴う。キャビネット形状の収納要素６は、家庭用品を収容するために有利に使用されてもよい。したがって、ここに描かれていない家庭用品および収納品２１をユーザにとって都合が良い高さまで移動させることができる。
【００２２】
図示の典型的な実施形態では、１つ以上の収納要素６を案内するように形成される２つの垂直ガイド形材３が設けられ、また、収納要素６に対するカウンタウェイトを後部領域で移動可能に支持することができる。無論、ガイド形材４を角度を成して、特に水平に本体に配置することもでき、それにより、接近が困難な後部領域から前部領域へ収納要素６を移動させることができる。また、それぞれの側壁２に湾曲したガイドレールを設けることができる。
【符号の説明】
【００２３】
１  本体
１’  本体
２  側壁
３  ガイド形材
４  溝
５  滑子
６  収納要素
６’  収納要素
７  牽引ケーブル
８  ガイドプーリ
９  巻取り機構
１０  水平形材
１１  水平形材セクション
１２  取付具
１３  ボトム形材
１４  仕上げ形材
１５  仕上げ形材
１６  ハウジング
１７  スイベルアーム
１８  カバー層
１９  カバー層
２０  カバー帯状体
【図１】
2012526574.tif 000003
【図２】
2012526574.tif 000004
【図３】
2012526574.tif 000005
【図４】
2012526574.tif 000006
【図５】
2012526574.tif 000007
【図６】
2012526574.tif 000008
【国際調査報告】
2012526574.tif 000009
2012526574.tif 000010
2012526574.tif 000011
2012526574.tif 000012
2012526574.tif 000013
2012526574.tif 000014